(57)【要約】【課題】  周波数変調が可能な加速空洞を備えたシンクロサイクロトロン型の粒子線加速器において、ビーム取出しが従来に比べて容易であり、かつ小型の粒子線加速器とそれを備えた粒子線治療システムを提供する。【解決手段】  磁石装置１のうち、上部磁極８，下部磁極９の中間平面２に対向する面には、ビーム周回方向に沿って凹部２１ａ，２１ｂ，２１ｃ，２１ｄと凸部２２ａ，２２ｂ，２２ｃ，２２ｄとが交互に配置されており、凸部２２ａ，２２ｂ，２２ｃ，２２ｄは、ビーム周回軌道の中心Ｏ１から見たときの凸部２２ａ，２２ｂ，２２ｃ，２２ｄの角度幅θがビームエネルギーの増大に従って狭まっていき、凹部２１ａの上部磁極８，下部磁極９外周領域に、所定エネルギーに加速されたビームを加速器１００４の外に取り出す出射チャネル１０１９の入口が設けられている。【選択図】  図４
2019200899.tif 000002
【特許請求の範囲】
【請求項１】
粒子線加速器であって、
ビームを加速する高周波電場の周波数を変調可能な加速空洞と、
静磁場を生成する磁石装置と、を備え、
前記磁石装置は、リターンヨークおよび前記リターンヨークに固定された一対の磁極を有し、
前記一対の磁極は、前記一対の磁極に挟まれた空間にある中間平面に対して面対称な位置に配置され、
前記磁極の前記中間平面に対向する面には、ビーム周回方向に沿って凹部と凸部とが交互に配置されており、
前記凸部は、ビーム周回軌道の中心から見たときの前記凸部の角度幅がビームエネルギーの増大に従って狭まっていき、
前記凹部の磁極外周領域に、所定エネルギーに加速されたビームを前記粒子線加速器の外に取り出す出射チャネルの入口が設けられている
ことを特徴とする粒子線加速器。
【請求項２】
請求項１に記載の粒子線加速器において、
前記磁石装置が生成する磁場のビーム周回方向に沿った平均値は、ビームエネルギーの増大に伴って低下していく
ことを特徴とする粒子線加速器。
【請求項３】
請求項１に記載の粒子線加速器において、
加速するビームの入射点と最大ビームエネルギー軌道の中心との位置が異なる
ことを特徴とする粒子線加速器。
【請求項４】
請求項１に記載の粒子線加速器において、
加速するビームの入射点と最大ビームエネルギー軌道の中心との位置が一致する
ことを特徴とする粒子線加速器。
【請求項５】
請求項１に記載の粒子線加速器において、
前記出射チャネルが設けられた前記凹部に隣接する前記凸部の前記磁極外周領域に、ビーム軌道を変位させるための磁場を印加する磁石が設けられている
ことを特徴とする粒子線加速器。
【請求項６】
粒子線加速器であって、
ビームを加速する高周波電場の周波数を変調可能な加速空洞と、
静磁場を生成する磁石装置と、を備え、
前記磁石装置は、リターンヨークおよび前記リターンヨークに固定された一対の磁極を有し、
前記一対の磁極は、前記一対の磁極に挟まれた空間にある中間平面に対して面対称な位置に配置され、
前記磁極の前記中間平面に対向する面には、ビーム周回方向に沿って凹部と凸部とが交互に配置されており、
前記凸部には、加速されるビームが１つの前記凸部を通過する距離は、ビームエネルギーの増加に伴って増加した後に減少するものがあり、
前記凹部の磁極外周領域に、所定エネルギーに加速されたビームを前記粒子線加速器の外に取り出す出射チャネルの入口が設けられている
ことを特徴とする粒子線加速器。
【請求項７】
粒子線加速器であって、
ビームを加速する高周波電場の周波数を変調可能な加速空洞と、
静磁場を生成する磁石装置と、を備え、
前記磁石装置は、リターンヨークおよび前記リターンヨークに固定された一対の磁極を有し、
前記一対の磁極は、前記一対の磁極に挟まれた空間にある中間平面に対して面対称な位置に配置され、
前記磁極の前記中間平面に対向する面には、ビーム周回方向に沿って凹部と凸部とが交互に配置されており、
前記凸部は、前記凸部と前記凹部の境界線の接線とその反対側の前記凸部と前記凹部の境界線の接線との間の角度がビームエネルギーの増大に従って小さくなった後で大きくなり、
前記凹部の磁極外周領域に、所定エネルギーに加速されたビームを前記粒子線加速器の外に取り出す出射チャネルの入口が設けられている
ことを特徴とする粒子線加速器。
【請求項８】
請求項１、６，７のいずれか１項に記載の粒子線加速器を備えた
ことを特徴とする粒子線治療システム。
【発明の詳細な説明】
【技術分野】
【０００１】
本発明は、粒子線加速器およびそれを備えた粒子線治療システムに関する。
【背景技術】
【０００２】
磁場フラッターを使用したシンクロサイクロトロン粒子加速器の一例として、特許文献１には、空洞内で高周波電圧を掃引して粒子をプラズマ柱である粒子源から加速するための電圧源と、粒子を空洞内で軌道上を移動させる磁石と、再生器と、再生器から空間を隔てて空洞内で配置され、磁石で形成される磁場バンプを解消する強磁性装置で構成されることが記載されている。
【先行技術文献】
【特許文献】
【０００３】
【特許文献１】特開２０１６−２１３１９８号公報
【発明の概要】
【発明が解決しようとする課題】
【０００４】
近年、放射線治療に用いられる粒子線治療システムの小型化が進行している。特許文献１には、小型の粒子線治療システムに備わるシンクロサイクロトロンと呼ばれる粒子線加速器について、特にシンクロサイクロトロンに必要な磁場を生成する磁石装置の磁極形状が開示されている。
【０００５】
一般に、円形加速器と呼ばれる粒子線加速器は、イオン源を含む入射装置、ビームを安定に周回させるための主磁場を生成する磁石装置、高周波電場を印加してビームを加速する加速空洞、ビームを平衡軌道から意図的にずらすための磁場を印加するビーム変位生成磁石、ならびに平衡軌道からずらされたビームを加速器外に取り出す出射チャネルを備えている。
【０００６】
円形加速器でビームを所望するエネルギーまで加速するためには、ビームが加速空洞を通過するタイミングと高周波電場の位相を合わせる必要がある。
【０００７】
シンクロサイクロトロンは、磁石装置で静磁場を生成し、高周波電場の周波数をビームのエネルギーに合わせて変調させることでビームが加速ギャップを通過するタイミングと高周波電場の位相を合わせ、ビームを所望のエネルギーまで加速していく装置である。
【０００８】
シンクロサイクロトロンは静磁場中をビームが加速されていくので、高エネルギーになるほどビームの描く軌道は広がっていく。そして、その加速器で所定のエネルギーまで加速されたビームは、ビーム変位生成磁石によって印加された磁場を感じることで平衡軌道から意図的に変位させられて出射チャネルに到達し、加速器外に取り出される。
【０００９】
出射チャネルは、セプタムと呼ばれる磁石で構成されることが多い。セプタムで主磁場と逆向きの磁場を生成することで、出射チャネルを通過するビームの軌道半径が拡大する。セプタムによって軌道半径が拡大したビームは周回軌道から離脱し、後段のビーム輸送系、照射装置へと導かれる。
【００１０】
このようなシンクロサイクロトロンの小型化は、主磁場の増大を意味する。しかしながら、主磁場が増大すると、ビームを取り出すためにセプタムが生成すべき磁場も増大することになる。特に、主磁場はおよそ３Ｔ以上の高磁場となると、超電導コイルを用いて生成される。
【００１１】
ここで、セプタムは、設置空間の大きさの制限、ならびに時間的に一定ではなくパルス的に使用するという運転方法の特徴から、常伝導磁石で構成することが一般的である。常伝導磁石では１Ｔ以上の磁場を生成しようとすると、セプタムのサイズ増、電源容量の増大、コイル冷却の消費電力の増大などの様々な困難がある。
【００１２】
従って、加速器の小型化は、主磁場強度ではなく、セプタムの限界で規定される。
【００１３】
そこで、本発明が解決しようとする課題は、周波数変調が可能な加速空洞を備えたシンクロサイクロトロン型の粒子線加速器において、ビーム取出しが従来に比べて容易であり、かつ小型の粒子線加速器とそれを備えた粒子線治療システムを提供することである。
【課題を解決するための手段】
【００１４】
本発明は、上記課題を解決する手段を複数含んでいるが、その一例を挙げるならば、粒子線加速器であって、ビームを加速する高周波電場の周波数を変調可能な加速空洞と、静磁場を生成する磁石装置と、を備え、前記磁石装置は、リターンヨークおよび前記リターンヨークに固定された一対の磁極を有し、前記一対の磁極は、前記一対の磁極に挟まれた空間にある中間平面に対して面対称な位置に配置され、前記磁極の前記中間平面に対向する面には、ビーム周回方向に沿って凹部と凸部とが交互に配置されており、前記凸部は、ビーム周回軌道の中心から見たときの前記凸部の角度幅がビームエネルギーの増大に従って狭まっていき、前記凹部の磁極外周領域に、所定エネルギーに加速されたビームを前記粒子線加速器の外に取り出す出射チャネルの入口が設けられていることを特徴とする。
【発明の効果】
【００１５】
本発明によれば、小型かつビーム取出しが容易な粒子線加速器を提供することができる。上記した以外の課題、構成および効果は、以下の実施例の説明により明らかにされる。
【図面の簡単な説明】
【００１６】
【図１】本発明の実施例１における粒子線治療システムの構成図である。
【図２】実施例１における粒子線治療システムの加速器内に配置された磁石装置の斜視図である。
【図３】実施例１における磁石装置の垂直平面による断面図である。
【図４】実施例１における磁石装置を中間平面からみた平面図である。
【図５】実施例１における磁石装置の凸部の一つを拡大した平面図である。
【図６】実施例１における磁石装置の凸部の一つを拡大した平面図である。
【図７】実施例１における磁石装置の凸部の一つを拡大した平面図である。
【図８】本発明の実施例２における磁石装置を中間平面からみた平面図である。
【図９】実施例２における磁石装置の凸部の一つを拡大した平面図である。
【図１０】実施例２における磁石装置の凸部の一つを拡大した平面図である。
【図１１】実施例２における磁石装置の凸部の一つを拡大した平面図である。
【図１２】実施例２における磁石装置の凸部の一つを拡大した平面図である。
【発明を実施するための形態】
【００１７】
以下に本発明の粒子線加速器および粒子線治療システムの実施例を、図面を用いて説明する。
【００１８】
＜実施例１＞  
本発明の粒子線加速器および粒子線治療システムの実施例１について図１乃至図７を用いて説明する。
【００１９】
図１は本実施例１における粒子線治療システムの構成図である。図２は加速器内に配置された磁石装置の斜視図である。図３は磁石装置の垂直平面による断面図である。図４は磁石装置を中間平面からみた平面図、図５乃至図７は磁石装置の凸部の一つを拡大した平面図である。
【００２０】
まず、図１を用いて粒子線治療システムの全体構成を説明する。
【００２１】
図１において、粒子線治療システム１００１は、建屋（図示省略）の床面に設置される。この粒子線治療システム１００１は、イオンビーム発生装置１００２、ビーム輸送系１０１３、回転ガントリー１００６、照射装置１００７および制御システム１０６５を備えている。
【００２２】
イオンビーム発生装置１００２は、イオン源１００３と、このイオン源１００３が接続される加速器１００４を有する。加速器１００４の詳細は後述する。
【００２３】
ビーム輸送系１０１３は、照射装置１００７に達するビーム経路１０４８を有しており、このビーム経路１０４８に、加速器１００４から照射装置１００７に向かって、複数の四極電磁石１０４６、偏向電磁石１０４１、複数の四極電磁石１０４７、偏向電磁石１０４２、四極電磁石１０４９，１０５０、および偏向電磁石１０４３，１０４４がこの順に配置されることで構成されている。
【００２４】
ビーム輸送系１０１３のビーム経路１０４８の一部は、回転ガントリー１００６に設置されており、偏向電磁石１０４２、四極電磁石１０４９，１０５０および偏向電磁石１０４３，１０４４も回転ガントリー１００６に設置されている。ビーム経路１０４８は、加速器１００４に設けられた出射チャネル１０１９に接続されている。
【００２５】
回転ガントリー１００６は、回転軸１０４５を中心に回転可能に構成されており、照射装置１００７を回転軸１０４５の周りで旋回させる回転装置である。
【００２６】
照射装置１００７は、２台の走査電磁石１０５１，１０５２、ビーム位置モニタ１０５３および線量モニタ１０５４を備えている。これら走査電磁石１０５１，１０５２、ビーム位置モニタ１０５３および線量モニタ１０５４は、照射装置１００７の中心軸、すなわち、ビーム軸に沿って配置されている。走査電磁石１０５１，１０５２、ビーム位置モニタ１０５３および線量モニタ１０５４は照射装置１００７のケーシング（図示省略）内に配置されている。
【００２７】
ビーム位置モニタ１０５３および線量モニタ１０５４は、走査電磁石１０５１，１０５２の下流に配置される。走査電磁石１０５１および走査電磁石１０５２は、それぞれイオンビームを偏向し、イオンビームを照射装置１００７の中心軸に垂直な平面内において互いに直交する方向に走査する。ビーム位置モニタ１０５３は照射されるビームの通過位置を計測する。線量モニタ１０５４は照射されるビームの線量を計測する。
【００２８】
照射装置１００７は、回転ガントリー１００６に取り付けられており、偏向電磁石１０４４の下流に配置される。
【００２９】
照射装置１００７の下流側には、患者１０５６が横たわる治療台１０５５が、照射装置１００７に対向するように配置される。
【００３０】
制御システム１０６５は、中央制御装置１０６６、加速器・輸送系制御装置１０６９、走査制御装置１０７０、回転制御装置１０８８およびデータベース１０７２を有する。
【００３１】
中央制御装置１０６６は、中央演算装置（ＣＰＵ）１０６７およびＣＰＵ１０６７に接続されたメモリ１０６８を有する。加速器・輸送系制御装置１０６９、走査制御装置１０７０、回転制御装置１０８８およびデータベース１０７２は、中央制御装置１０６６内のＣＰＵ１０６７に接続されている。
【００３２】
粒子線治療システム１００１は更に治療計画装置１０７３を有しており、治療計画装置１０７３はデータベース１０７２に接続されている。粒子線治療システム１００１では、粒子線の照射エネルギーや照射角度などが粒子線の照射に先立って治療計画装置１０７３で治療計画として作成されており、この治療計画に基づいて照射が実行される。
【００３３】
中央制御装置１０６６のＣＰＵ１０６７は、データベース１０７２に保存されている治療計画から粒子線治療システム１００１を構成する各機器の照射に関係する各種の動作制御プログラムを読み込み、読み込んだプログラムを実行して、加速器・輸送系制御装置１０６９、走査制御装置１０７０、回転制御装置１０８８を介して指令を出力することで、粒子線治療システム１００１内の各機器の動作を制御する。
【００３４】
なお、実行される動作の制御処理は、１つのプログラムにまとめられていても、それぞれが複数のプログラムに別れていてもよく、それらの組み合わせでもよい。また、プログラムの一部または全ては専用ハードウェアで実現してもよく、モジュール化されていても良い。更には、各種プログラムは、プログラム配布サーバや外部記憶メディアによって各計算機にインストールされてもよい。
【００３５】
また、各制御装置は、各々が独立した装置で有線或いは無線のネットワークで接続されたものであっても、２つ以上が一体化していてもよい。
【００３６】
ビーム電流測定装置１０９８は、移動装置１０１７および位置検出器１０３９を含んでいる。
【００３７】
高周波電源１０３６は、加速器１００４内に設置された高周波加速空洞１０３７に導波管１０１０を通じて電力を入力し、高周波加速空洞１０３７に接続された電極と接地電極の間にビームを加速する高周波電場を励起させる。本実施例の加速器１００４では、高周波加速空洞１０３７の共振周波数をビームのエネルギーに対応して変調させる必要がある。周波数を変調させるためには、インダクタンスか静電容量を調整すればよい。
【００３８】
インダクタンスや静電容量の調整方法は公知の方法を用いることができ、たとえば静電容量を調整する場合は、高周波空洞に可変容量キャパシタを接続して制御する。
【００３９】
次いで、加速器１００４を構成する磁石装置１の詳細について図２以降を用いて説明する。
【００４０】
磁石装置１は、主な構成として、図２に示すように鉛直方向から見て略円盤状の形状を成す上リターンヨーク４と下リターンヨーク５とを有している。
【００４１】
上リターンヨーク４と下リターンヨーク５は、中間平面２に対してほぼ上下対称な形状を有している。この中間平面２は、おおむね磁石装置１の鉛直方向中心を通り、加速中のイオンが描く軌道面にほぼ一致する。また上リターンヨーク４と下リターンヨーク５は、中間平面２に垂直かつおおむね磁石装置１の中間平面２に対する中心を通過する平面である垂直平面３に対して面対称な形状をしている。
【００４２】
なお、図２では中間平面２の磁石装置１に対する交差部分を一点鎖線、垂直平面３の磁石装置１に対する交差部分を破線で示している。
【００４３】
上リターンヨーク４にはイオン源１００３が配置されている。
【００４４】
図３に示すように、上リターンヨーク４と下リターンヨーク５に囲まれた空間内にはコイル６が中間平面２に対して面対称に配置されている。
【００４５】
なお、実施例１では、外部イオン源を想定して磁石装置１の外側にイオン源１００３を設置し、これに対応して貫通孔２４を設けているが、イオン源１００３は磁石装置１の内部に設置してもよい。
【００４６】
コイル６は、図１に示したコイル引出配線１０２２によってコイル励磁用電源１０５７に接続されている。上リターンヨーク４および下リターンヨーク５に囲まれた空間内のコイル６の内側には真空容器７が設けられている。
【００４７】
コイル６は、超電導コイルであり、クライオスタット（図示省略）の内部に設置されており、液体ヘリウムなどの冷媒、または冷凍機（図示省略）からの伝熱によって冷却される。
【００４８】
真空容器７の内部には、上リターンヨーク４の下リターンヨーク５に対向する面には上部磁極８が、下リターンヨーク５の上リターンヨーク４に対向する面には下部磁極９が、それぞれ中間平面２に対して面対称に配置されており、それぞれ上リターンヨーク４と下リターンヨーク５と結合されている。
【００４９】
これら上リターンヨーク４や下リターンヨーク５、上部磁極８、下部磁極９は、例えば、不純物濃度を低減させた純鉄や、低炭素鋼等によって構成する。真空容器７は、ステンレスなどによって構成する。コイル６は、ＮｂＴｉ等の超電導体で構成する。
【００５０】
イオンビームを周回させ加速させる空間は、これら上部磁極８と下部磁極９の間に形成される。
【００５１】
この空間には、中間平面２に対して磁場補正用電磁石１１，１２，１３，１４が配置されている。磁場補正用電磁石１１，１２，１３，１４は、中間平面２に対して面対称に配置されており、貫通孔１６から図１に示した取り出し用電磁石引出配線１０２３によって取り出し用電磁石電源１０４０に接続されている。
【００５２】
出射チャネル１０１９は電磁石（図示省略）を備えており、貫通孔１５から図１に示した出射チャネル用電源１０８２に接続されている。出射チャネル用電源１０８２から出射チャネル１０１９に備えられた電磁石に電流を通電することで、出射チャネル１０１９に到達したイオンビームが整えられ、ビーム輸送系１０１３へと送られる。
【００５３】
図４は、対向面１０を中間平面２からみた平面図である。磁石装置１は中間平面に２に対して面対称な構造であるため、以下では、図３および図４を用いて、磁石装置１の詳細構造について説明する。
【００５４】
上部磁極８および下部磁極９の中間平面２に対向する面には、それぞれ、凹部２１ａ，２１ｂ，２１ｃ，２１ｄ、凸部２２ａ，２２ｂ，２２ｃ，２２ｄが形成されており、これら凹部２１ａ，２１ｂ，２１ｃ，２１ｄと凸部２２ａ，２２ｂ，２２ｃ，２２ｄはビーム軌道２３の周回方向に沿って交互に配置されている。
【００５５】
これら凹部２１ａ，２１ｂ，２１ｃ，２１ｄおよび凸部２２ａ，２２ｂ，２２ｃ，２２ｄとは、上部磁極８や下部磁極９と一体で形成されたものとしてもよいし、別部材として製作した後に上部磁極８や下部磁極９の表面に組み立ての際に溶接やボルト止めなどの公知の方法で係合してもよい。材料については上部磁極８や下部磁極９と同じとすることが望ましい。
【００５６】
ビーム変位生成磁石３１（リジェネレータ）は、出射チャネル１０１９が設けられた凹部２１ａに隣接する凸部２２ａの磁極外周面２５の近傍に設置されている。また、ビーム変位生成磁石３２（ピーラー）は、出射チャネル１０１９が設けられた凹部２１ａに隣接する凸部２２ｄの磁極外周面２５の近傍に設置されている。
【００５７】
ビーム変位生成磁石３１が発生させる磁場分布は径方向に向かって主磁場強度が増加するように設計することが望ましい。また、ビーム変位生成磁石３２が発生する磁場分布は径方向に向かって主磁場強度が減少するように設計することが望ましい。
【００５８】
上述の空間内を周回するビームがこれらビーム変位生成磁石３１，３２によって生成される磁場（擾乱磁場）を感じることで、ビーム軌道は出射チャネル１０１９の方向へと変位を受ける。
【００５９】
なお、ビーム変位生成磁石３１，３２は、磁場を生成する磁石に限られず、電磁石であってもよい。
【００６０】
更には、ビーム変位生成磁石３１，３２を用いる替わりに、同等のビーム軌道を変位させるための磁場を生成する構造を凸部２２ａ，２２ｄの表面に設けることができる。構造の例としては、凸部２２ａ，２２ｄの表面に磁性体を更に付加する、あるいは凸部２２ａ，２２ｄの表面形状を加工することができる。
【００６１】
貫通孔１８は、ビーム輸送系１０１３を設置するための貫通孔であり、貫通孔１９は、磁石装置の対称性を高めて磁石装置の生成する磁場を高精度化するために、垂直平面３に対して貫通孔１８と面対称になるように設けられている。
【００６２】
本実施例の構造の効果を説明するために、磁石装置１の設計手順について図５乃至図７を用いて以下説明する。
【００６３】
まず、磁石装置１の大きさを決めるために、磁場強度と最高エネルギーにおけるビーム軌道の半径を定める必要がある。磁石装置１が生成する磁場が大きいほど、ビーム軌道の広がりが小さくなり、加速器１００４、ひいては粒子線治療システム１００１を小型化することができる。
【００６４】
本実施例では、入射地点での磁場を５［Ｔ］、最高エネルギーのビーム半径を１［ｍ］とすることにした。なお、本実施例では、加速するビームの入射点と最大ビームエネルギー軌道の中心Ｏ１との位置を一致させておく。
【００６５】
次に、ビームが安定に周回する理想磁場分布を求めなければならない。本実施例では、ビームを中間平面２に垂直な方向に対して収束させるために、弱収束の原理に基づいて磁場を設計した。
【００６６】
弱収束の原理を用いた加速器では、一般に、下記式（１）で示すようなｎインデックスと呼ばれる量
【００６７】
【数１】
2019200899.tif 000003
を０より大きく０．２以下にするように磁場分布が設計される。ここで、Ｂは中間平面２における磁場、ρはビーム軌道の曲率半径で、磁場勾配∂Ｂ／∂ｒは、中間平面２の上で、ビーム進行方向と垂直でビームエネルギーが大きくなる方向に対する磁場の微分を示している。
【００６８】
本実施例１では、磁場強度を５［Ｔ］、最高エネルギーのビーム半径（最大軌道半径）を１［ｍ］としたので、∂Ｂ／∂ｒは−１［Ｔ／ｍ］以上で０より小さくすべきとなった。ここでは、∂Ｂ／∂ｒは−０．５［Ｔ／ｍ］とすることにする。すると、最高エネルギーのビーム半径は１［ｍ］だから、この軌道上における磁場は４．５［Ｔ］となる。
【００６９】
一般に、弱収束の原理によってビームを収束させる円形加速器では、軸対称な磁場分布を生成するために、磁極形状も軸対称とすることが多い。そうすると、磁場Ｂはビーム周回方向に沿って一定値となる。しかし、弱収束の原理は、必ずしもＢがビーム周回方向に一定であることを要請せず、Ｂがビーム周回方向に対する平均磁場である場合でも成立する。すなわち、ビーム周回方向に磁場の強弱が分布していてよい。
【００７０】
そこで、本実施例では、４つの凹部２１ａ，２１ｂ，２１ｃ，２１ｄと４つの凸部２２ａ，２２ｂ，２２ｃ，２２ｄによってビーム周回方向に磁場の強弱が分布するようにし、かつビーム周回方向の磁場平均がビームエネルギーの増大に従って式（１）に従って減少するように設計した。
【００７１】
また、上下の凸部２２ａ，２２ｂ，２２ｃ，２２ｄで挟まれた領域では、上部磁極８および下部磁極９との間の距離が短くなることから、上下の凹部２１ａ，２１ｂ，２１ｃ，２１ｄで挟まれた領域よりも磁場が大きくなる。
【００７２】
そこで、図５に示すように、ビームエネルギーが増大して磁極外周面２５に近づくに従って、ビーム周回軌道の中心Ｏ１から見たときの凸部２２ａ，２２ｂ，２２ｃ，２２ｄの角度幅θ１，θ２，θ２，…，θｎが狭まっていく（θ１＞θ２＞θ３＞…＞θｎ）ようにした。
【００７３】
このように凸部２２ａ，２２ｂ，２２ｃ，２２ｄの角度幅θ１，θ２，θ２，…，θｎを狭めていくことは、本実施例においては、ビーム周回軌道の中心Ｏ１からみたときの凹部２１ａ，２１ｂ，２１ｃ，２１ｄの角度幅はビームエネルギーの増大に従って広がっていくことを意味する。
【００７４】
第一近似としては、凹部２１ａ，２１ｂ，２１ｃ，２１ｄに挟まれた領域と凸部２２ａ，２２ｂ，２２ｃ，２２ｄに挟まれた領域の磁場は、それぞれ一定値と考え、式（１）で定まる平均磁場の減少に合わせて、凸部２２ａ，２２ｂ，２２ｃ，２２ｄの角度幅が減少していくように調整すればよい。
【００７５】
すなわち、凹部２１ａ，２１ｂ，２１ｃ，２１ｄに挟まれた領域における磁場をＢｖ、凸部２２ａ，２２ｂ，２２ｃ，２２ｄに挟まれた領域における磁場をＢｈとすると、下記式（２）
【００７６】
【数２】
2019200899.tif 000004
の関係からθを決めればよい。ここでθの単位はｒａｄｉａｎであり、Ｂｖ＜Ｂ（ｒ）＜Ｂｈである。
【００７７】
このように設計した凸部２２ａ，２２ｂ，２２ｃ，２２ｄでは、図６に示すように、加速されるビームが１つの凸部２２ａ，２２ｂ，２２ｃ，２２ｄを通過する距離Ｌ１，Ｌ２，…，Ｌｎが、ビームエネルギーの増加に伴って増加（Ｌｘ＞Ｌ２＞Ｌ１）した後に減少に転ずる（Ｌｘ＞Ｌｎ）関係となる。なお、図６では、代表して凸部２２ｃのみ示す。図７も同様である。
【００７８】
更には、凸部２２ａ，２２ｂ，２２ｃ，２２ｄでは、図７に示すように、凸部２２ｃと凹部２１ｄの境界線の接線と、その反対側の凸部２２ｃと凹部２１ｃの境界線の接線との間の角度がビームエネルギーの増大に従って小さくなる（θ’１＞θ’２）。その後、２本の接線が平行になり、その後角度が大きくなる関係となっている。
【００７９】
このようにして得られる磁場は、最高エネルギーのビームに対する平均磁場は、磁極を軸対称形状にした場合と同じ値の４．５［Ｔ］とできるから、加速器のサイズは同等である。一方、軸対称の磁極形状では、最高エネルギーのビームに対する磁場は一様に４．５［Ｔ］であるが、本実施例では凹部では４．５［Ｔ］未満、凸部では４．５［Ｔ］を超える磁場となっている。
【００８０】
そこで、所定エネルギーに加速されたビームを加速器１００４の外に取り出す出射チャネル１０１９の入口を凹部２１ａの磁極外周面２５近傍に設置することで、出射チャネル１０１９がビーム取り出しのために生成すべき磁場を、軸対称の磁極形状よりも小さくすることができ、ビーム取出しを容易にすることができる。
【００８１】
次に、本実施例の効果について説明する。
【００８２】
上述した本発明の実施例１の粒子線治療システム１００１は、加速器１００４を備えている。このうち、加速器１００４は、ビームを加速する高周波電場の周波数を変調可能な高周波加速空洞１０３７と、静磁場を生成する磁石装置１と、を備えている。磁石装置１は、上リターンヨーク４，下リターンヨーク５および上リターンヨーク４，下リターンヨーク５に固定された一対の上部磁極８，下部磁極９を有し、一対の上部磁極８，下部磁極９は、一対の上部磁極８，下部磁極９に挟まれた空間にある中間平面２に対して面対称な位置に配置され、上部磁極８，下部磁極９の中間平面２に対向する面には、ビーム周回方向に沿って凹部２１ａ，２１ｂ，２１ｃ，２１ｄと凸部２２ａ，２２ｂ，２２ｃ，２２ｄとが交互に配置され、凹部２１ａの上部磁極８，下部磁極９外周領域に、所定エネルギーに加速されたビームを加速器１００４の外に取り出す出射チャネル１０１９の入口が設けられている。更には、凸部２２ａ，２２ｂ，２２ｃ，２２ｄは、ビーム周回軌道の中心Ｏ１から見たときの凸部２２ａ，２２ｂ，２２ｃ，２２ｄの角度幅θがビームエネルギーの増大に従って狭まっている。また、加速されるビームが１つの凸部２２ａ，２２ｂ，２２ｃ，２２ｄを通過する距離は、ビームエネルギーの増加に伴って増加した後に減少に転じている。更に、凸部２２ａ，２２ｂ，２２ｃ，２２ｄと凹部２１ａ，２１ｂ，２１ｃ，２１ｄの境界線の接線とその反対側の凸部２２ａ，２２ｂ，２２ｃ，２２ｄと凹部２１ａ，２１ｂ，２１ｃ，２１ｄの境界線の接線との間の角度がビームエネルギーの増大に従って小さくなった後で大きくなっている。
【００８３】
これによって、周波数変調が可能な高周波加速空洞１０３７を備えた加速器において、主磁場を増大させた場合でも、加速器を大型化することなくビームを安定して加速することができる。また、加速されたビームの取り出し口となる出射チャネル１０１９の入口が配置される磁極の外周領域の磁場強度を弱めることができる。このため、セプタムの高性能化・大型化等の困難な方法を用いることなく、ビーム取出しが容易な磁石装置を備えた小型の加速器を提供することができる。
【００８４】
また、磁石装置１が生成する磁場のビーム周回方向に沿った平均値は、ビームエネルギーの増大に伴って低下していくため、出射チャネル１０１９の入口が配置される磁極の外周領域の磁場強度をより弱めることができ、よってより容易にビームの取り出しを行うことができる。
【００８５】
更に、加速するビームの入射点と最大ビームエネルギー軌道の中心Ｏ１との位置が一致していても、出射チャネル１０１９の入口が配置される磁極の外周領域の磁場強度を従来の加速器に比べて弱めているため、ビームの取り出しがより容易な加速器となっている。
【００８６】
また、出射チャネル１０１９が設けられた凹部２１ａに隣接する凸部２２ａ，２２ｄの上部磁極８，下部磁極９外周領域に、ビーム軌道を変位させるための磁場を印加するビーム変位生成磁石３１，３２が設けられていることにより、取出したい特定エネルギーとなったビームに対して周回軌道面内のベータトロン振動を不安定化させることができるため、任意エネルギーのビームをより容易に取出すことができる、との効果が得られる。このような加速器は、照射線量率を実現して患者の治療スループットを向上させることができる粒子線治療システムに好適である。
【００８７】
＜実施例２＞  
本発明の実施例２の粒子線加速器および粒子線治療システムについて図８乃至図１２を用いて説明する。実施例１と同じ構成には同一の符号を示し、説明は省略する。
【００８８】
図８は本実施例２における磁石装置を中間平面からみた平面図である。図９乃至図１２は磁石装置の凸部の一つを拡大した平面図である。
【００８９】
本実施例の粒子線加速器は、上述した実施例１の粒子線加速器との違いは、磁石装置内の上部磁極および下部磁極の対向面の形状が異なる。以下、図８以降を用いて説明する。
【００９０】
粒子線加速器では、ビームの運動エネルギーをＫ、静止エネルギーをＥ０、光速をｃ、荷電粒子の電荷数をｑとおくと、下記式（３）
【００９１】
【数３】
2019200899.tif 000005
の関係が成り立つ。
【００９２】
上記の式（３）と実施例１において説明した式（２）とを組み合わせると、θは径方向距離ｒの関数からＫの関数に見直すことができる。特に、ビーム軌道の中心が磁極の中心と一致している場合はｒ＝ρとなるが、実施例２では、ビーム軌道の中心が磁極の中心と一致しておらず、加速するビームの入射点Ｏ２と最大ビームエネルギー軌道の中心Ｏ４、および加速器のビームの周回軌道の中心Ｏ３，Ｏ５，Ｏ６との位置が異なる場合を示す。
【００９３】
図８は、実施例２における対向面１０を中間平面２からみた平面図である。実施例１と同様の構造物等については、同じ番号を流用して指し示している。
【００９４】
図８において、ビーム入射点はＯ２であり、最高エネルギーのビーム軌道１２６の軌道中心はＯ４であり、その中間のエネルギーのビーム軌道１２７の軌道中心はＯ３、中間より加速したエネルギーのビーム軌道の中心はＯ５，Ｏ６である。
【００９５】
このように、最高エネルギーのビーム軌道中心Ｏ４と入射点Ｏ２が一致せず、入射点Ｏ２が出射チャネル１０１９のビーム入口方向へとずれている。このようにビーム軌道の中心をずらすと、低エネルギーのビーム軌道を出射チャネル１０１９の入口に近づけることができるので、最高エネルギーまで加速されたビームのみならず、その間のエネルギービームも出射チャネル１０１９から容易に取り出すことが可能となる。
【００９６】
実施例２では、入射エネルギーからビーム軌道までのビーム軌道の幅１２８を０．１［ｍ］にすることとした。すると、実施例１と同様に∂Ｂ／∂ｒを−１．０［Ｔ／ｍ］とすると、最高エネルギーに対する磁場は４．９［Ｔ］ということになる。
【００９７】
この実施例２においても、図９に示すように、ビーム周回軌道の中心Ｏ３，Ｏ５，Ｏ６，Ｏ４から見たときの凸部１２２ｃの角度幅θ１Ａ，θ２Ａ，θ３Ａ，…，θｎＡは、式（２）および式（３）に従って、ビームエネルギーの増大に従って狭まっている（θ１Ａ＞θ２Ａ＞θ３Ａ＞…＞θｎＡ）。
【００９８】
同様に、図１０に示すように、ビーム周回軌道の中心Ｏ３，Ｏ５，Ｏ４から見たときの凸部１２２ｄの角度幅θ１Ｂ，θ２Ｂ，…，θｎＢは、式（２）および式（３）に従って、ビームエネルギーの増大に従って狭まっている（θ１Ｂ＞θ２Ｂ＞…＞θｎＢ）。
【００９９】
このように設計した凸部１２２ｃでは、図１１に示すように、加速されるビームが１つの凸部１２２ｃを通過する距離Ｌ１Ａ，Ｌ２Ａ，…，ＬｎＡが、ビームエネルギーの増加に伴って増加（Ｌ２Ａ＞Ｌ１Ａ）した後に減少に転ずる（Ｌ２Ａ＞ＬｘＡ＞ＬｎＡ）関係となる。
【０１００】
更には、図１２に示すように、凸部１２２ｃでは、凸部１２２ｃと凹部１２１ｄの境界線の接線と、その反対側の凸部１２２ｃと凹部１２１ｃの境界線の接線との間の角度がビームエネルギーの増大に従って小さくなり、その後２本の接線が平行になり、その後角度が大きくなっていく（θ’３Ａ＞…＞θ’ｎＡ）関係となっている。
【０１０１】
図示は省略しているが、凸部１２２ｃと垂直平面３に対して対称な形状の凸部１２２ｂについても、凸部１２２ｃと同様である。また、凸部１２２ｄと垂直平面３に対して対称な形状の凸部１２２ａについても、凸部１２２ｄと同様である。
【０１０２】
このようにして得られる磁場は、ビーム周回方向に沿った平均磁場は、磁極を軸対称形状にした場合の４．９［Ｔ］と同じ値にできるから、加速器のサイズは軸対称形状の場合と同等である。
【０１０３】
一方、軸対称の磁極形状では、最高エネルギーのビームに対する磁場はビーム周回方向に沿って４．９［Ｔ］と一定であるが、実施例２では凹部１２１ａ，１２１ｂ，１２１ｃ，１２１ｄでは４．９［Ｔ］未満、凸部１２２ａ，１２２ｂ，１２２ｃ，１２２ｄでは４．９［Ｔ］を超える磁場となっている。
【０１０４】
そこで、本実施例においても、所定エネルギーに加速されたビームを加速器１００４の外に取り出す出射チャネル１０１９の入口を凹部１２１ａの磁極外周面１２５近傍に設置することで、出射チャネル１０１９がビーム取り出しのために生成すべき磁場を、軸対称の磁極形状よりも小さくすることができ、ビーム取出しを容易にすることができる。
【０１０５】
その他の構成・動作は前述した実施例１の粒子線加速器および粒子線治療システムと略同じ構成・動作であり、詳細は省略する。
【０１０６】
本発明の実施例２の粒子線加速器においても、前述した実施例１の粒子線加速器とほぼ同様な効果が得られる。
【０１０７】
また、加速するビームの入射点Ｏ２と最大ビームエネルギー軌道の中心Ｏ１との位置が異なることにより、出射チャネル１０１９の入口が設置される磁極外周部に、ビーム周回軌道が密になる領域を設けることができる。また、出射チャネル１０１９がビーム取り出しのために生成すべき磁場を、軸対象の磁極形状とする場合に比べて小さくすることができる。従って、これらの効果から、より容易に所定エネルギーに加速されたビームの取り出しを行うことができる。
【０１０８】
＜その他＞  
なお、本発明は、上記の実施例に限定されるものではなく、様々な変形例が含まれる。上記の実施例は本発明を分かりやすく説明するために詳細に説明したものであり、必ずしも説明した全ての構成を備えるものに限定されるものではない。
【０１０９】
また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることも可能である。
【０１１０】
例えば、上記の実施例１，２の説明では、加速する粒子を特に指定していない。すなわち、陽子をイオン源１００３から供給しても、炭素イオンをイオン源１００３から供給しても、高周波加速空洞１０３７の周波数を加速する粒子それぞれにあわせて調整することによって、安定にビームを加速周回させることができる。また、加速する粒子は、上述した陽子や炭素イオンに限られず、ヘリウムイオン等の炭素イオン以外の重粒子イオンとすることができる。
【０１１１】
また、上記の実施例１，２の説明では、上部磁極８や下部磁極９に設ける凹部と凸部の数をそれぞれ４つとしたが、凹部や凸部の数は４つに限るものではなく、３以上の整数であれば、ビームが安定周回するような磁場を生成することが可能である。
【０１１２】
また、粒子線治療システム１００１がビーム輸送系１０１３を備えている場合について説明したが、粒子線治療システムはビーム輸送系を設けずにイオンビーム発生装置と回転ガントリーや照射装置とを直接接続することができる。
【０１１３】
また、治療に用いる粒子線を照射する装置として回転ガントリー１００６を用いる場合について説明したが、固定された照射装置を用いることができる。また、照射装置は一つに限られず、複数設けることができる。
【０１１４】
また、照射方法として走査電磁石１０５１，１０５２を用いるスキャニング方式の場合について説明したが、ワブラー法や二重散乱体法など粒子線の分布を広げた後、コリメータやボーラスを用いて標的の形状に合わせた線量分布を形成する照射法にも本発明を適用することができる。
【０１１５】
また、加速器が粒子線治療に用いられる場合について説明したが、加速器の用途は粒子線治療に限られず、高エネルギー実験等に用いるものとすることができる。
【符号の説明】
【０１１６】
１…磁石装置
２…中間平面
３…垂直平面
４…上リターンヨーク
５…下リターンヨーク
６…コイル
７…真空容器
８…上部磁極
９…下部磁極
１１，１２，１３，１４…磁場補正用電磁石
１５，１６，１８，１９，２４…貫通孔
２０…対称軸
２１ａ，２１ｂ，２１ｃ，２１ｄ，１２１ａ，１２１ｂ，１２１ｃ，１２１ｄ…凹部
２２ａ，２２ｂ，２２ｃ，２２ｄ，１２２ａ，１２２ｂ，１２２ｃ，１２２ｄ…凸部
２３，１２６，１２７…ビーム軌道
２５，１２５…磁極外周面
１２８…ビーム軌道の幅
３１，３２…ビーム変位生成磁石
１００１…粒子線治療システム
１００４…加速器（粒子線加速器）
１０１９…出射チャネル
１０３７…高周波加速空洞
【図１】
2019200899.tif 000006
【図２】
2019200899.tif 000007
【図３】
2019200899.tif 000008
【図４】
2019200899.tif 000009
【図５】
2019200899.tif 000010
【図６】
2019200899.tif 000011
【図７】
2019200899.tif 000012
【図８】
2019200899.tif 000013
【図９】
2019200899.tif 000014
【図１０】
2019200899.tif 000015
【図１１】
2019200899.tif 000016
【図１２】
2019200899.tif 000017